(57)【特許請求の範囲】
【請求項１】
所定ピッチで複数配設された雄コンタクトを有するプラグと、所定ピッチで複数配設された雌コンタクトを有するソケットとを有し、該ソケットに対し前記プラグを一方向から装着して前記雄雌各コンタクト間の電気的接続を図るようにしたコネクタにおいて、
前記プラグは、プラグ本体上に所定のピッチで立設された複数本のコンタクト支持体を有し、前記雄コンタクトの先端は前記コンタクト支持体の先端へ向けて延設されており、
また前記ソケットは、上面がソケットカバーで覆われた箱体のソケット本体から構成され、該ソケット本体には、前記コンタクト支持体と対応する位置に該コンタクト支持体を嵌挿させるソケット孔が複数形成され、
また前記プラグの雄コンタクトと前記ソケットの雌コンタクトは、各コンタクトの板厚方向へ向け、一定の間隔で配設されるとともに、前記雄雌コンタクトのコンタクトリードは、前記プラグの装着方向に対しあらかじめ直角方向に折り曲げられた形状であって、前記雄雌コンタクトのコンタクトリードのうち前記雄コンタクトのコンタクトリードは前記コンタクト支持体の基端であらかじめ直角方向に折り曲げられた形状であり、前記プラグ本体および前記ソケット本体から露出し、さらに、前記ソケットの雌コンタクトは前記ソケット本体の側方から前記ソケット孔に臨むように配設され、かつ前記プラグが前記ソケットに装着された際に、その板厚方向へ向けて弾性変位が可能となるように片持ち支持されている
ことを特徴とするコネクタ。
【発明の詳細な説明】
【０００１】
【発明の属する技術分野】
この発明は、ノート型コンピータ、携帯電話器等の携帯機器内に使用されるコネクタに関し、詳しくは携帯機器の小型化および省スペース化を図ったコネクタに関する。
【０００２】
【従来の技術】
従来より、ノート型パソコン、携帯電話器等の携帯機器内には印刷配線板等に形成された各電子回路を電気的に接続するためのコネクタが使用されている。
【０００３】
これらのコネクタは雄コンタクトを有するプラグと、雌コンタクトを有するソケットから構成され、この雄雌両コンタクトを互いに接続して各電子回路間の電気的接続を図っている。
【０００４】
一方、上述した従来のコネクタは、ソケットに対するプラグの装着方向と、このソケットおよびプラグ内に配設された雄雌両コンタクトのコンタクトリード延出方向とは一致しており、ソケットに対しプラグを装着する場合は、各コンタクトリードの延出方向に沿ってプラグとソケットとを接近させ、その後、両者を互いに嵌着させて各コンタクトリードに接続された各電子回路間を電気的に接続するようにしている。
【０００５】
【発明が解決しようとする課題】
ところで、上述した従来のコネクタによると、ソケットに対するプラグの装着方向と、雄雌各コンタクトの各後端を形成するコンタクトリードの延出方向とが一致しているため、コンタクトリードの延出方向に沿ったコネクタのサイズが大きく、このためソケットにプラグを装着するとコネクタ全体の背の高さが高くなって、このようなコネクタを使用する携帯機器の薄型化、およびその内部に使用される電子部品の高密度実装が図れない難点があった。
【０００６】
この発明は、上述した事情に鑑み、低背化を図ったコネクタを提供することを目的とする。
【０００７】
【課題を解決するための手段】
上述した課題を解決するため、この発明では、所定ピッチで複数配設された雄コンタクトを有するプラグと、所定ピッチで複数配設された雌コンタクトを有するソケットとを有し、該ソケットに対し前記プラグを一方向から装着して前記雄雌各コンタクト間の電気的接続を図るようにしたコネクタにおいて、前記プラグは、プラグ本体上に所定のピッチで立設された複数本のコンタクト支持体を有し、前記雄コンタクトの先端は前記コンタクト支持体の先端へ向けて延設されており、また前記ソケットは、上面がソケットカバーで覆われた箱体のソケット本体から構成され、該ソケット本体には、前記コンタクト支持体と対応する位置に該コンタクト支持体を嵌挿させるソケット孔が複数形成され、また前記プラグの雄コンタクトと前記ソケットの雌コンタクトは、各コンタクトの板厚方向へ向け、一定の間隔で配設されるとともに、前記雄雌コンタクトのコンタクトリードは、前記プラグの装着方向に対しあらかじめ直角方向に折り曲げられた形状であって、前記雄雌コンタクトのコンタクトリードのうち前記雄コンタクトのコンタクトリードは前記コンタクト支持体の基端であらかじめ直角方向に折り曲げられた形状であり、前記プラグ本体および前記ソケット本体から露出し、さらに、前記ソケットの雌コンタクトは前記ソケット本体の側方から前記ソケット孔に臨むように配設され、かつ前記プラグが前記ソケットに装着された際に、その板厚方向へ向けて弾性変位が可能となるように片持ち支持されていることを特徴としている。
【０００８】
【発明の実施の形態】
以下、この発明に係わるコネクタの実施例を詳述する。
【０００９】
図１はこの発明に係わるコネクタ２０の要部破断概念斜視図である。
【００１０】
このコネクタ２０は、互いに対向し所定ピッチで配設された複数本の雄コンタクト１を有するプラグ２と、このプラグ２の各雄コンタクト１に対応する雌コンタクト３を所定ピッチで配設したソケット４から構成され、当該ソケット４に対しプラグ２を矢印Ａ方向へ向け互いを接近させることによりプラグ２をソケット４に装着する。
【００１１】
上述したコネクタ２０のプラグ２は、その要部破断拡大底面図で示す図２のように、合成樹脂等により形成された板形状のプラグ本体５上に所定のピッチで立設された複数本のコンタクト支持体６からなり、各雄コンタクト１の各先端１ａは、この各コンタクト支持体６の先端６ａに向けて延設されている。
【００１２】
このうち互いに対向する一対の雄コンタクト１のうち、一方の雄コンタクト１の先端１ａはコンタクト支持体６の一側面６ｂに沿って上昇するように配設され、また他方の雄コンタクト１の先端はコンタクト支持体６の他側面６ｃに沿って上昇するように配設されている。
【００１３】
一方、上述したコンタクト支持体６に配設された各雄コンタクト１のコンタクトリード１ｂは、図２およびそのＣ視による側面図で示す図３のように、コンタクト支持体６の突設方向に対し、その基端６ｄ付近で略直角方向に折れ曲がり、図２で示すように、プラグ本体５の互いに対向する両側方５ａ、５ｂから露出するように配置されている。
【００１４】
したがって上述した雄コンタクト１によると、図１で示すように、そのコンタクトリード１ｂはプラグ２の装着方向（矢印Ａ）に対し略直角方向に折り曲げ形成されていることとなる。
【００１５】
なお、上述したプラグ本体５に突設された各コンタクト支持体６の先端６ａおよび各雄コンタクト１の先端１ａには、図３で示すように、コンタクト支持体６の長手方向に沿って傾斜面１ｃ、６ｅが形成されている。
【００１６】
一方、図１に示すソケット４は、その要部破断拡大上面図で示す図４のように、上面がソケットカバー１０で覆われた合成樹脂からなる箱体のソケット本体１１から構成され、このソケットカバー１０には、図１で示すプラグ本体５に突設された各コンタクト支持体６と対向する位置に、当該コンタクト支持体６を嵌挿するソケット孔１０ａが形成されている。なお、この各ソケット孔１０ａの周縁にはコンタクト支持体６を嵌挿し易いようテーパー部１０ｂが形成されている。
【００１７】
また、図４で示すソケット４のソケット本体１１内には雌コンタクト３が配設されているが、この雌コンタクト３の先端３ａは、ソケット孔１０ａに臨み、かつ図２で示す雄コンタクト１の先端１ａと対向する位置に配設されている。
【００１８】
また、この各雌コンタクト３は、図４で示すように、図の左右方向に弾性をもって変位できるようソケット本体１１の各側方１１ａ、１１ｂに片持支持され、図４のＤ視による側面図で示す図５のように、各雌コンタクト３のコンタクトリード３ｂが各側方１１ａ、１１ｂから露出している。
【００１９】
また、図４で示すように、ソケット本体１１内に位置する各雌コンタクト３の中間部には、嵌挿する図１の各コンタクト支持体６に当接することを避けるため湾曲部３ｃが形成され、また、ソケット本体１１内の両側方１１ａ、１１ｂ側には、各雌コンタクト３の先端部３ａと湾曲部３ｃが一定以上変位するのを阻止する規制板１２が形成されている。
【００２０】
したがって上述した雌コンタクト３によると、そのコンタクトリード３ｂはソケット４の装着方向（図１の矢印Ａ）に対し略直角方向に折り曲げ形成されていることとなる。
【００２１】
次に上述したコネクタ２０の作用を説明する。
【００２２】
図１の矢印Ａで示すように、コネクタ２０のプラグ２をソケット４に接近させ、プラグ２の各コンタクト支持体６を対応する各ソケット孔１０ａ内に嵌挿させると、図１と同一部分を同一符号で示す図６のように、プラグ２はソケット４に装着された状態となる。
【００２３】
この図６で示すコネクタ２０の装着状態から明らかなように、雄雌両コンタクト１、３の双方のコンタクトリード１ｂ、３ｂをソケット４に対するプラグ２の装着方向（図１の矢印Ａ）に対し略直角方向に折り曲げ形成するようにしたから、プラグ２およびソケット４の装着方向に対し、コネクタ２０の背の高さＨは著しく小さくなり、このコネクタ２０を使用した携帯機器の薄型化、およびその携帯機器の内部に使用される電子部品の高密度実装が図れることとなる。
【００２４】
なお、図６のＥＥ要部断面で示す図７のように、プラグ２をソケット４に装着すると、コンタクト支持体６の両側面６ｂ、６ｃに配設された各雄コンタクト１の先端１ａが、対応する雌コンタクト３の先端３ａに弾発性をもって圧接し、両者の電気的な接続が図られることとなる。
【００２５】
なお、上記実施例では、雄雌両コンタクト１、３の両コンタクトリード１ｂ、３ｂをプラグ２およびソケット４の装着方向（図１の矢印Ａ）に対し略直角方向に折り曲げ形成するようにしたが、この発明は上記実施例に限定されることなく、プラグ２あるいはソケット４に配設される雄雌コンタクト１、３のうち、いずれか一方のコンタクトのコンタクトリードを、ソケット４に対するプラグ２の装着方向に対し略直角方向に折り曲げ形成するようにしても良い。
【００２６】
【発明の効果】
以上説明したように、この発明に係わるコネクタでは、雄雌両コンタクトのうち少なくとも一方のコンタクトのコンタクトリードをソケットに対するプラグの装着方向に対し略直角方向に折り曲げ形成するようにしたから、コネクタ全体の背の高さＨを著しく小さくして、コネクタの低背化を図り、このコネクタを使用する携帯機器等の小型機器の薄型化、およびその携帯機器等の内部に使用される電子部品の一層の高密度実装化を図ることができる。
【図面の簡単な説明】
【図１】図１は、この発明のコネクタの要部破断概念斜視図。
【図２】図２は、この発明のコネクタを構成するプラグの要部破断拡大底面図。
【図３】図３は、図２のＣ視によるプラグの側面図。
【図４】図４は、この発明のコネクタを構成するソケットの要部破断拡大上面図。
【図５】図５は、図４のＤ視によるソケットの側面図。
【図６】図６は、ソケットにプラグを装着した状態を示すコネクタの要部破断概念斜視図。
【図７】図７は、図６のＥＥ要部断面図である。
【符号の説明】
１…雄コンタクト
１ａ…雄コンタクトの先端
１ｂ、３ｂ…コンタクトリード
２…プラグ
３…雌コンタクト
４…ソケット
５…プラグ本体
５ａ、５ｂ…プラグ本体の側方
６…コンタクト支持体
６ｄ…基端
１０…ソケットカバー
１１ａ、１１ｂ…ソケット本体の側方
２０…コネクタ
Ａ…ソケットに対するプラグの装着方向
【図２】
0004367797.tif 000002
【図３】
0004367797.tif 000003
【図４】
0004367797.tif 000004
【図５】
0004367797.tif 000005
【図６】
0004367797.tif 000006
【図７】
0004367797.tif 000007
【図１】
0004367797.tif 000008